(57)【要約】      （修正有） 【課題】生鮮食料品等の嵩及び重さを有する商品を包み込み或いは包装することができると共に持ち帰れる手提げのついた包装体であり、パック等に入れた生鮮食料品をパック詰めのまま簡単に包装することができ、かつ手提げできる包装体を提供する。【解決手段】少なくとも提げ手部２とこの提げ手部２を有する上部から延在したフィルム３又はシート３を有する包装体１である。このフィルム３又はシート３の先端方向には接着部４を有する。フィルム３又はシート３を商品にかけまわして商品を包み込むと共に提げ手部２により持ち運びできる。【選択図】図１
0003195674.tif 000002
【実用新案登録請求の範囲】
【請求項１】
生鮮食料品等の嵩及び重さを有する商品を包み込み或いは包装した商品の該包装と接着することにより商品を包装する手提げすることのできる包装体１であって、
少なくとも提げ手部２とこの提げ手部２を有する上部から延在したフィルム３又はシート３を有する包装体１であり、
フィルム３又はシート３の先端方向には接着部４を有し、
フィルム３又はシート３を商品にかけまわして提げ手部２を有する上部に接着することを特徴とする包装体。
【請求項２】
生鮮食料品等の嵩及び重さを有する商品を包み込み或いは包装した商品の該包装と接着することにより商品を包装する手提げすることのできる包装体１であって、
少なくとも提げ手部２とこの提げ手部２を有する上部から延在したフィルム３又はシート３を有する包装体１であり、
フィルム３又はシート３の先端方向には接着部４を有し、
フィルム３又はシート３を商品にかけまわしてフィルム３又はシート３に接着することを特徴とする包装体。
【請求項３】
生鮮食料品等の嵩及び重さを有する商品を包み込み或いは包装した商品の該包装と接着することにより商品を包装する手提げすることのできる包装体１であって、
少なくとも提げ手部２とこの提げ手部２を有する上部から延在したフィルム３又はシート３を有する包装体１であり、
フィルム３又はシート３の先端方向には接着部４を有し、
フィルム３又はシート３の接着部４で商品と接着することを特徴とする包装体。
【請求項４】
生鮮食料品等の嵩及び重さを有する商品を包み込み或いは包装した商品の該包装と接着することにより商品を包装する手提げすることのできる包装体１であって、
少なくとも提げ手部２とこの提げ手部２を有する上部から延在したフィルム３又はシート３を有する包装体１であり、
フィルム３又はシート３を２つ有しており、
少なくとも一のフィルム３又はシート３の先端方向には接着部４を有し、
フィルム３又はシート３で商品を包み込んで包装することを特徴とする包装体。
【請求項５】
生鮮食料品等の嵩及び重さを有する商品を包み込み或いは包装した商品の該包装と接着することにより商品を包装する手提げすることのできる包装体１であって、
少なくとも提げ手部２とこの提げ手部２を有する上部から延在したフィルム３又はシート３を有する包装体１であり、
フィルム３又はシート３を２つ有しており、
少なくとも一のフィルム３又はシート３の先端方向には接着部４を有し、
一のフィルム３又はシート３と他のフィルム３又はシート３とを接着部４で接着することを特徴とする包装体。
【請求項６】
生鮮食料品等の嵩及び重さを有する商品を包み込み或いは包装した商品の該包装と接着することにより商品を包装する手提げすることのできる包装体１であって、
少なくとも提げ手部２とこの提げ手部２を有する上部から延在したフィルム３又はシート３を有する包装体１であり、
フィルム３又はシート３を２つ有しており、
少なくとも一のフィルム３又はシート３の先端方向には接着部４を有し、
一のフィルム３又はシート３と商品とを接着部４で接着して包装することを特徴とする包装体。
【考案の詳細な説明】
【技術分野】
【０００１】
本考案は包装体であり、特に手提げ可能な提げ手部を有する包装体であって、パック等に入った生鮮食品をそのパックをこの包装体に収納したまま店頭で提示及び販売できると共に持ち帰れる提げ手のついた包装体に関する。
【背景技術】
【０００２】
生鮮品に関しては、店頭での販売の便を考慮して予めパックに収納した状態で販売することは良く行われている。
例えば、イチゴ、リンゴ、梨或いはキノコ類や野菜類等の各種の生鮮食品は、一定量を取りまとめて上部の開口している樹脂製透明パック等のなかに入れて展示し、販売することが行われている。
【０００３】
この場合該商品を購入するに際して、該樹脂製透明パックに商品を入れた状態で購入するものであり、パックごと一般的な手提げ袋内で入れて提供し、購入者はこれを持って帰るものである。
これは、販売者は樹脂製透明パックや袋内に生鮮食品類を入れて一定量まとめて販売できると共に、任意の数量や取り纏め量を特定でき、販売しやすい形態と取れるものであり、又商品の提示に際しては見栄え良く見やすい展示を可能とする。
【０００４】
この様にすることは、販売者にとってもまとめて買いやすいものであって、レジ等にまで運びやすいものとして商品をパックに入れて店頭で販売することは多用されているものである。
例えば特開２００６−１８２４２８号（特許文献１）の図１に示すようにイチゴ包装用の樹脂製透明パックにイチゴを入れた状態で展示し販売しているものである。
【先行技術文献】
【特許文献】
【０００５】
【特許文献１】特開２００６−１８２４２８号
【考案の概要】
【考案が解決しようとする課題】
【０００６】
以上の様に、現在生鮮食品に関しての販売には、生鮮食品を樹脂製透明パックに入れて展示し、販売することは多用されているものである。
この場合、生鮮食品をパック内に入れて販売するものであり、単に上面が開口されたパックに生鮮食品を入れておくだけであり、蓋等は特段使用していない。
又、パック内に入れた状態の場合には例えば更に特段の袋等にも入れていない状態での販売は良く行われる。
【０００７】
これは一つずつのパックを透明な手提げ袋内に入れると手間が掛かりすぎるものであり、単にパック内に入れるだけである。
又パック内の商品が見やすいことから特段の更なる包装は行っていないことによる。
例えば、購入者にとってみると、商品を直に見られると共にパック毎の中の状態が判り易く、購入の判断がより確実に行えるものである。
【０００８】
反面、購入者が実際に商品を手で触れ、或いはパック内の商品を交換する等のことも生じかねない。
更に例えばパックに入れた状態での販売は、このパックを更に一般的なレジ袋への再包装に際してパックが邪魔をして入れにくく不便となる。
以上より、パックに入れた状態で簡単にかつきっちりと手提げ用の袋等に入れることの可能な包装体の提供が望まれるものである。
【０００９】
更には販売に際して展示の段階で、透明な樹脂製パックや袋に生鮮食品を入れて展示するに際して該パックを手持ち可能とする包装体であって、簡単に装着できる手提げ用の包装体があれば購入者は単に持ちかえるだけであり、購入意欲を高度に発揮させられることとなる。
【００１０】
又生鮮食品に特定されず、他の一般商品についてもパック容器内の商品を簡単に包装でき、手提げを可能とする包装体が存在すれば、販売をより促進できると共にローコストでの販売を可能とするものである。
しかして、係る観点に鑑み掛かる課題を解決するために包装体を提供するものである。
【課題を解決するための手段】
【００１１】
以上のように係る課題を見事に解決する包装体を提供するものである。
係るためまず請求項１に係る考案に示すように、生鮮食料品等の嵩及び重さを有する商品を包み込み或いは包装した商品の該包装と接着することにより商品を包装する手提げすることのできる包装体であって、少なくとも提げ手部とこの提げ手部を有する上部から延在したフィルム又はシートを有する包装体からなるものであり、フィルム又はシートの先端方向には接着部を有し、フィルム又はシートを商品にかけまわして提げ手部を有する上部に接着する包装体からなる考案であり、係る考案によって前記課題を解決できる。
【００１２】
又、請求項２に係る考案は、生鮮食料品等の嵩及び重さを有する商品を包み込み或いは包装した商品の該包装と接着することにより商品を包装する手提げすることのできる包装体であって、少なくとも提げ手部とこの提げ手部を有する上部から延在したフィルム又はシートを有する包装体からなるものであり、フィルム又はシートの先端方向には接着部を有し、フィルム又はシートを商品にかけまわしてフィルム又はシートに接着する包装体であり、係る考案を用いてもよい。
【００１３】
更に請求項３に係る考案は生鮮食料品等の嵩及び重さを有する商品を包み込み或いは包装した商品の該包装と接着することにより商品を包装する手提げすることのできる包装体であって、少なくとも提げ手部とこの提げ手部を有する上部から延在したフィルム又はシートを有する包装体からなるものであり、フィルム又はシートの先端方向には接着部を有し、フィルム又はシートの接着部で商品と接着する包装体であって、係る考案によっても同様に前記課題を解決できる。
【００１４】
或いは、請求項４に係る考案のように生鮮食料品等の嵩及び重さを有する商品を包み込み或いは包装した商品の該包装と接着することにより商品を包装する手提げすることのできる包装体であって、少なくとも提げ手部とこの提げ手部を有する上部から延在したフィルム又はシートを有する包装体からなるものであり、フィルム又はシートを２つ有しており、少なくとも一のフィルム又はシートの先端方向には接着部を有し、フィルム又はシートで商品を包み込んで包装する包装体でも同様である。
【００１５】
更に、請求項５に係る考案のように生鮮食料品等の嵩及び重さを有する商品を包み込み或いは包装した商品の該包装と接着することにより商品を包装する手提げすることのできる包装体であって、少なくとも提げ手部とこの提げ手部を有する上部から延在したフィルム又はシートを有する包装体からなるものであり、フィルム又はシートを２つ有しており、少なくとも一のフィルム又はシートの先端方向には接着部を有し、一のフィルム３又はシートと他のフィルム又はシートとを接着部で接着する包装体を用いてもよい。
【００１６】
又、請求項６に係る考案のように生鮮食料品等の嵩及び重さを有する商品を包み込み或いは包装した商品の該包装と接着することにより商品を包装する手提げすることのできる包装体であって、少なくとも提げ手部とこの提げ手部を有する上部から延在したフィルム又はシートを有する包装体からなるものであり、フィルム又はシートを２つ有しており、少なくとも一のフィルム又はシートの先端方向には接着部を有し、一のフィルム又はシートと商品とを接着部で接着して包装する包装体でもよい。
【考案の効果】
【００１７】
以上のように構成したことから、まず本考案によって、例えば透明の生鮮食品の入ったパック容器を手提げすることのできる包装体で包むことを可能とする。
特に嵩や重量のある生鮮品などを簡単に手提げ可能に包装することができるものである。
この場合、本考案に係る包装体により簡単に商品を包み込み或いは商品を包装しているパックやケース等を包み込んで、或いはこれと接着することができるものであり、販売時における手持ち用の包装を極めて簡単にできると共にこの包装体を装着した状態での販売をも可能とするものである。
【００１８】
特に請求項１に係る考案によって、該フィルム又はシートの先端方向には接着部を有し、該フィルム又はシートを商品にかけまわして接着部で提げ手部を有する上部と接着することにより商品を包み込んで商品を手提げできる状態で包装することができるものとなる。
【００１９】
更に請求項２に係る考案によって、該フィルム又はシートの先端方向には接着部を有し、該フィルム又はシートを商品にかけまわして接着部で該フィルム又はシートと接着することにより商品を包み込んで商品を手提げできる状態で包装することができるものとなる。
【００２０】
請求項３に係る考案によってフィルム又はシートの先端方向の接着部で商品と接着することにより商品を手提げできる状態で包装することができるものである。
又請求項４に係る考案によって２つのフィルム又はシートの少なくとも一の該フィルム又はシートにより商品を包み込んで商品を手提げできる状態で包装することができるものとなる。
【００２１】
或いは請求項５に係る考案のように２つのフィルム又はシートの少なくとも一の該フィルム又はシートの接着部により、この接着部で他の一の該フィルム又はシートと接着することができ、商品を包み込んで商品を手提げできる状態で包装することができる。
更に請求項６に係る考案によって２つのフィルム又はシートの少なくとも一のフィルム又はシートの接着部で商品と接着することにより商品を手提げできる状態で包装することを可能とするものである。
【図面の簡単な説明】
【００２２】
【図１】本考案に係る包装体の一例を示す図
【図２】図１のＡ−Ａ線断面図
【図３】フィルム又はシートを開いた状態の本考案に係る包装体の一例を示す図
【図４】本考案に係る包装体を容器に装着した一例を示す図
【図５】本考案に係る包装体の他の一例を示す図
【図６】図５のＢ−Ｂ線断面図
【図７】フィルム又はシートを開いた状態の本考案に係る包装体の他の一例を示す図
【図８】本考案に係る包装体を容器に装着した他の一例を示す図
【図９】包装した状態から切り込み部６及びテープ８を持って押し開く状態の一例を示す図
【図１０】切り込み部及びテープを切り離して開口状態とした一例を示す図
【考案を実施するための形態】
【００２３】
図１は、本考案に係る包装体の一例を示す図である。
本図に示すように樹脂製のフィルム地或いはシート地を折り込んで或いは重積して形成した包装体１であり、包装体本体の一端方向に提げ手用の孔からなる提げ手部２を有し、他端には樹脂製パック或いはケースに接着する接着部４を有すると共に商品であるパック又はケースを掛け回すフィルム３又はシート３を有する。
【００２４】
更に提げ手部２とフィルム３又はシート３との間は例えば本図のようにシール部５を介しており、該シール部５には切り欠き部６を有する。
これは例えば２枚のシート又はフィルムを重ねて或いは一のシート又はフィルムを折り込んで、少なくとも２つの又は２葉の又は２枚のフィルム３又はシート３を構成し、この一端方向に接着部４を有する構成である。
【００２５】
従って、提げ手部２近傍は折り込んで重ね合わせたシート地又はフィルム地をシールし又は接着して提げて近傍の強度を高めているものであり、例えばヘッダー部である上部を形成しているものである。
従ってこの提げ手部２は強度があり、手提げをすることができる。
もとより厚手のシート地を別途添えても或いは熱融着等により重積してもよい。
【００２６】
次に、本図構成においては双方の手提げ部を有する上部から延在している２つのフィルム３又はシート３はほぼ均等の長さを有しており、その端辺部に沿って接着部４をそれぞれの対向するフィルム３又はシート３方向に有しており、更に剥離紙７によって接着部４の接着材を覆っているものである。
【００２７】
この様に構成することによって生鮮食品或いは通常の各種商品の入った樹脂製パック或いはケースをそれぞれのフィルム３又はシート３に有する接着部４で接着して、本包装体の提げ手部２で樹脂製パック或いはケースを持ち上げ運搬できるものである。
【００２８】
特に包装すべき生鮮食料品等の商品を入れてある容器である例えばパックやケース等の上部に開口部を有する場合もあるが、本包装体のそれぞれのフィルム３又はシート３を樹脂製パックやケース等のそれぞれの側面方向に押し広げ、該提げ手部２をパック等の上面開口部の上面に位置させることにより、開口を覆うことができ、更にはフィルム３又はシート３によって樹脂製パックやケース等の側面或いは側面を覆ったうえで底面方向や側面方向において前記接着部４で接着することができる。
【００２９】
従って本図では２つ或いは２葉或いは２枚のそれぞれのフィルム３又はシート３によって容器のそれぞれの側面方向をかけまわし、この包装すべき商品を覆って接着部４で接着して装着するものである。
かけまわすとは、該容器の上面等の開口面方向に被せた上で、それぞれのフィルム３又はシート３をそれぞれ容器の側面方向に位置させることを言い、必要に応じて底部方向まで或いは対向面の側面方向等まで位置させることをいうものである。
【００３０】
従って、任意位置まで側面方向から底部方向或いは対向する側面方向等に対して、任意の位置までフィルム３又はシート３をかけまわしていけばよいものであり、必要に応じて該容器の外周を覆うようにかけまわすことを意味するものである。
この様に構成したことにより本包装体できっちりと樹脂製パック或いはケースを覆って装着し、更には提げ手で持ち運べるものである。
【００３１】
この様にその取り付けは本包装体のそれぞれのフィルム３又はシート３によって樹脂製パック或いはケースを覆い、接着部４で接着すれば極めて簡単に装着できるものである。
従って、販売店においても極めて簡単に装着できると共に商品を覆うことができ衛生的でもある。
更には購入者も簡単に持ち運べるものであり、殊更別途の包装を必要とするものではないことから極めて購入しやすいものとなる。
【００３２】
尚、本明細書中においてフィルム３又はシート３と明示しているが、そもそも通常のシート状或いはフィルム状のそれぞれのフィルム又はシートを指すものであり、薄手でも厚手でもいずれでもよいものとして該表現で説明するものである。
尚、商品の掛け回しなどのために若干の長さを有するものである。
更に、本フィルム３又はシート３はポリエチレン、ポリプロピレン、ポリエステル、塩化ビニール等一般的に使用される各種樹脂フィルム又はシートを用いていればよい。
【００３３】
特に、シール或いは接着等で形成することによって簡単に構成できることから熱可塑性の樹脂が最適であるが、これに限定されるものではなく、各種樹脂材を用いたものであればよい。
又樹脂材に限らず紙製のシートを持って構成するものであってももちろんよい。
この場合には二枚のシートを接着部材等で接着して或いは熱溶着等で構成するものであってもよい。
【００３４】
図２は、図１のＡ−Ａ線断面図であり、一枚のシート又はフィルムを用いて、その上部を折り曲げ部１０として折り曲げ重ねて構成し、その折り曲げ部である上部方向には孔からなる提げ手部２を有し、その下部に切り裂き用テープ８を配設したものである。
更にその下部方向において或いは提げ手部２を有する上部の下部から前記重ねた二つのフィルム地又はシート地を有する。
即ち提げ手部２を有する上部から重ねた二つのフィルム３又はシート３が延在して構成されているものである。
【００３５】
このフィルム３又はシート３はその長さを少なくとも樹脂製パック或いはケース類の包装すべき対象物の側面方向まで届く長さを有するものであり、該フィルム３又はシート３の先端部方向には接着部４を有しており、接着部材が塗布されている。
更に該接着部材の表出面は更に剥離紙７が貼着しており、通常の状態ではむやみに貼着しない状態にしてある。
尚、フィルム３又はシート３はその長さは、少なくとも包装すべき対象物の側面方向まで届く長さを有するものが最適であるが、更に底部まで届く程度の長さでも、或いは対抗する反対側の側面にまで届く程度の長さを有するものであってもよい。
【００３６】
又それぞれ２つのフィルム３又はシート３の長さは同じであっても異なるものであってもよい。
例えば特殊容器の形状に合致させたものでも、或いはフィルム３又はシート３を異なるものとして一のフィルム３又はシート３は側面までで他のフィルム３又はシート３が底部まで有する長さ、或いは対向面のである反対面の側面などにまで及ぶ程度の長さを有するもの等の各種長さを有するものであってもよい。
【００３７】
従って、フィルム３又はシート３は、側面部或いは底部或いは反対側の側面部で該接着部４によって接着することを可能とするものである。
或いはそもそもこのフィルム３又はシート３を持って樹脂製パック或いはケースを両側方向から覆い、このフィルム３又はシート３同士を接着することによって該フィルム３又はシート３をいわゆる丸めて筒状として、該筒内に樹脂製パック或いはケースを入れるものであってもよい。
従って、一のフィルム３又はシート３が他のフィルム３又はシート３と該接着部４によって接着するものであってもよい。
この場合このそれぞれのフィルム３又はシート３の長さは同じでも異なるものでもよい。
【００３８】
更に、この様に構成した場合には接着部４は一のフィルム３又はシート３にのみ接着部４を有するものであればよいことから一のフィルム地３又はシート地３にのみ接着部４を有するものでもよい。
尚、これらは２つのフィルム３又はシート３を用いた例として示すが、これに限らず１のフィルム３又はシート３のみを有し、これを用いて商品を巻き込んで包み接着部材で接着して包装するものであってもよい。
これによっても本考案に係る包装体の提供を行うことができる。
【００３９】
図３は、それぞれのフィルム３又はシート３を押し開いた状態の一例を示す図である。
この様に押し広げることにより樹脂製パック或いはケースを覆うことができるものである。
尚、上部には提げ手部２を有するものであり、バランス良くもち運びもできる。
【００４０】
図４は、樹脂製パックの側面をフィルム３又はシート３で接着してパックの上部開口を覆った状態の一例を示す図である。
この様に構成することによりたとえばイチゴ等の生鮮食品或いは一般的な商品をパック詰めした容器を側面部分で接着して提げ手としての機能及び覆いとしての機能を発揮して運搬できるものである。
もとより、この様な状態で販売に際して展示してもよいものであり、この本発明に係る包装体で覆って提示することができる。
【００４１】
これにより見栄え良く、かつ衛生的で更には購入者にとっても持ち運びのしやすい包装体の提供ができる。
更に展示する販売店等の店舗等側においても本包装体を持って上部から覆い、更にこのフィルム３又はシート３の接着部によってパック容器等を接着するだけで装着できるものであり、極めて簡単かつ確実に包装できるものである。
【００４２】
次に図５は、本考案に係る包装体の他の例を示す図であり、それぞれのフィルム３又はシート３の長さを異なるように構成した一例を示す図である。
この様に長さを異なるものとした場合であっても覆うべきパックやケース等の側面或いは底面或いは他の個所或いは該フィルム３又はシート３同士を接着することによって本包装体の装着ができるものとなる。
【００４３】
尚、一例として、包装体の装着後簡単に本包装体を切り開くための切り欠き部６とテープ８を有する。
即ち該切り欠き部６を持って横方向に切り裂き、或いは該部分に装着しているテープ８をつまんで横方向に引くことによって本包装体を横方向に切り開くことができる。
従って、該切り欠き部６とテープ８は該フィルム３又はシート３と提げ手部２との境部分に有することが望ましいものである。
【００４４】
図６は、図５のＢ−Ｂ線断面図を示す。
本図に示すようにそれぞれ異なる長さのフィルム３又はシート３を有するものである。
更にそれぞれのフィルム３又はシート３の先端部分には接着部４を有しており、接着部材が塗着してある。
この場合、それぞれ内側方向に接着部４を有するが。これを一方又は双方が外側部分に接着部４を有するものであってもよく、或いはいずれか一方のみ接着部４を有するものであってもよい。
【００４５】
これらはそれぞれ覆って装着すべき容器即ちパックやケースの形状に応じて設定すればよい。
尚、接着部分を覆う剥離紙７を装着している。
図７は、フィルム３又はシートを押し広げた状態の一例を示す図であり、この様な状態で包装すべきパック等を覆うものである。
【００４６】
図８は、図６及び図７に示す本考案に係る包装体を樹脂製パックに装着した状態の一例を示す。
この様に構成してもイチゴを入れたパック等の包装すべき対象物をうまく覆うことができ、更にはきっちりと装着状態を維持して包み込むことができる。
又この状態で簡単に持ち運びができるものである。
尚、接着部は本図においてはそれぞれのフィルム３又はシート３の接着部４によって接着しているが、いずれか一のみ接着部４をフィルム３又はシート３にのみ外側に接着部４を有し、該部分で接着するものであってもよい。
いわゆる筒状に構成して本包装体で包み込むものであってもよい。
【００４７】
図９は、本考案に係る包装体を用いて、包装した状態から簡単に該包装体を切り裂くための切り込み部６及びテープ８を持って押し開く一例を示す図である。
本包装体でパックの上部開口を覆って装着した後に、フィルム３又はシート３と提げ手部２との境即ち、提げ手部としてシール加工しているヘッダー部分とフィルム又はシートとの境の側部方向に設けた切り欠きをつかんで横方向に引くことによってフィルム又はシートが切り裂かれて、開口が生ずるものである。
従って、これによって切り開かれて覆っていたパック等の容器が表出することとなり、内容物を簡単に取り出せるものである。
【００４８】
更に本図に示すように該部分に横方向である本包装体の幅方向に沿ってテープ８を配設しておくことにより、該テープ８を持って引き裂くことを容易にすると共に切り裂かれた後もきれいにテープの配設状態に沿って切り開くことができる。
尚、この近傍即ち提げ手部２とそれぞれのフィルム３又はシート３との間はそれぞれのフィルム３又はシート３が開くようにシール部５が形成されているものであり、この部分はさらにシールによって形成されているものに限らず接着等によって形成されているものであってもよい。
【００４９】
本明細書上、シール部５は必ずしもシール加工によって形成された構成に限らず、接着部材などによって接着形成されたものもシール部５として該当するものである。
この場合切り開き部分はこのシール部5を有して切り離すものであっても、あるいは提げ手部２近傍でも、あるいはフィルム３又はシート３部分に設けたものであってもいずれでもよい。
【００５０】
図１０は、切り欠き部６とテープ８を持って切り開いた状態をわかりやすく表示した一例を示す図である。
この様に開口部を広く切り開くことができ、内容物の取り出しを簡単に行えるものである。
更に図に明示していないが、例えば図４に示す構成は、上部方向には孔からなる提げ手部２を有し、提げ手部２の下部から前記二つのフィルム３又はシート３をそれぞれ有する構成を基本とするのに対してフィルム３又はシート３一つのみ一方向に有するものであってもよい。
【００５１】
即ち上部方向には孔からなる提げ手部２を有し、提げ手部２の下部からフィルム３又はシート３一つのみ有する。
このフィルム３又はシート３の先端方向の端部方向には接着部４を有しており、接着部材が塗布されている。
更に該接着部材の表出面は更に剥離紙７が貼着しており、通常の状態ではむやみに貼着しない状態にしてある。
従って、この一枚からなるフィルム３又はシート３を包装すべきパック等の本体を掛け回し、このフィルム３又はシート３の提げ手部２近傍方向と接着することもできる。
【００５２】
或いはフィルム３又はシート３自体に接着することもできる。
このことはフィルム３又はシート３により商品であるパックやケース等をかけまわして包むことができ、さらその包装状態において接着部４によってきっちりと接着することができる。
更にこの包装体には上部に提げ手部２を有する。
或いは、この場合に接着によって接着する部分はこの一枚からなるフィルム３又はシート３自体であっても或いは商品の包装自体即ち例えばパック詰めや他の包装によって包装しているその商品自体と接着するものであってももちろんよい。
【００５３】
少なくともフィルム３又はシート３を持って商品と接着し、提げ手部２を有する上部からこの部分とが延在して連設していることから提げ手を用いて手持ち可能とするものである。
従って、これらに示すような構成をもって形成したものであってもよい。
尚、この場合少なくとも商品は立体的な厚みのある商品であり、重量のある商品を前提としている。
即ち単なる紙葉等のための手持ち包装体と異なり、生鮮食品等の嵩重量のある商品の包装体であり、その嵩や重量に対して適切に手持ち可能とするための包装体である。
【００５４】
従って生鮮食料品等の嵩及び重さを有する商品を包み込み或いはこの商品の包装と接着することにより商品を包装し手提げすることのできる包装体からなるものである。
一定の重さと嵩に対応し得る包装体であることが前提となる。
このことより接着部材は単に接着し得る程度の接着部材ではなく一定の重量の商品を支えることのできる程度の接着力のある接着部材であることが必要となる。
例えば提げ手部２を有する上部から延在したフィルム３又はシート３の先端方向に有する接着部４を持って商品に掛け回したこのフィルム３又はシート３を接着して包装した際にはその接着部４により商品の重量にも耐えて手提げできる接着力は必要となる。
【００５５】
以上のように、このフィルム３又はシート３を２葉もいた場合には他のフィルム３又はシート３との接着のほか、この一のフィルム３又はシート３自体との接着であっても提げ手部を有する上部との接着であっても同様であり、或いは商品自体との接着であっても同様に商品の重量に耐えうる接着力が必要である。
【符号の説明】
【００５６】
１  包装体
２  提げ手部
３  フィルム又はシート
４  接着部
５  シール部
６  切り欠き部
７  剥離紙
８  テープ
【図１】
0003195674.tif 000003
【図２】
0003195674.tif 000004
【図３】
0003195674.tif 000005
【図４】
0003195674.tif 000006
【図５】
0003195674.tif 000007
【図６】
0003195674.tif 000008
【図７】
0003195674.tif 000009
【図８】
0003195674.tif 000010
【図９】
0003195674.tif 000011
【図１０】
0003195674.tif 000012